(57)【要約】【課題】  ポリウレタン樹脂シートを備えた保持パッドを、保管や運搬段階でそのポリウレタン樹脂シートの品質を損なうことなく巻回可能にしながら、定盤に容易に着脱可能にすること。【解決手段】  ポリウレタン樹脂シート１１と複数枚のノンサポート型粘着テープ１２からなる保持パッド１０を巻回体として梱包、運搬、および保管し、複数枚の両面テープ２１が並んで貼り付けられた樹脂基材２０がそれらの両面テープ２１により定盤１に貼り付けられた後、保持パッド１０が剥離フィルム１３を剥離された各ノンサポート型粘着テープ１２の粘着層により上記樹脂基材２０の上に貼り付けられて研磨加工に供されるもの。【選択図】  図１
2019038090.tif 000002
【特許請求の範囲】
【請求項１】
被研磨物を保持する保持面を備えたポリウレタン樹脂シートを有し、このポリウレタン樹脂シートの保持面の反対面側に複数枚のノンサポート型粘着テープが並んで接着され、各ノンサポート型粘着テープが、粘着層のみで構成されるとともに、該ノンサポート型粘着テープのポリウレタン樹脂シートが接着される面の反対面側に剥離フィルムが接着されて構成される保持パッド巻回体であって、
巻回体として、梱包、運搬、及び保管されることを特徴とする、保持パッド巻回体。
【請求項２】
請求項１記載の保持パッド巻回体を使用して被研磨物を研磨加工する研磨加工方法であって、
複数枚の両面テープが並んで貼り付けられた樹脂基材がそれらの両面テープにより定盤に貼り付けられた後、前記保持パッドが剥離フィルムを剥離された各ノンサポート型粘着テープの粘着層により上記樹脂基材の上に貼り付けられて研磨加工に供される保持パッドを用いた研磨加工方法。
【請求項３】
前記両面テープは基材を有する両面テープ、或いは、ノンサポート型粘着テープであることを特徴とする請求項２記載の研磨加工方法。
【請求項４】
前記保持パッドにおけるポリウレタン樹脂シートの保持面の上に、可撓性樹脂シートが粘着剤で貼り付けられ、該保持パッドが樹脂基材の上に貼り付けられる請求項２又は３に記載の研磨加工方法。
【発明の詳細な説明】
【技術分野】
【０００１】
本発明は、湿式成膜法により製造されたポリウレタン樹脂シートを有してなる保持パッドを用いた研磨加工方法に関する。
【背景技術】
【０００２】
近年、フラットパネルディスプレイでは、大型化、軽量化、薄型化のニーズが大きく、例えば、各社で若干異なるが、Ｇ１０と称されるサイズ（３１３０mm×２８８０mm）の大型のガラス基板が使用されるに至っている。このようなガラス基板等の被研磨物を研磨パッドによって研磨加工するときには、該被研磨物を保持する保持パッドも該被研磨物のサイズの拡大に合わせて大型化する必要があり、Ｇ１０サイズのガラス基板に対応する保持パッドは、３２００mm×３０００mm以上であることが好ましい。
【０００３】
従来、保持パッドは、湿式成膜法で形成されたポリウレタン樹脂製の発泡シートが使用されている。湿式成膜法では、ポリウレタン樹脂を水混和性の有機溶媒に溶解させた樹脂溶液をシート状の成膜基材に塗布後、水系凝固液中に浸漬することで樹脂がシート状に凝固再生される。得られた発泡シートでは、被研磨物と接触する面（保持面）側に緻密なスキン層を有し、スキン層より内側に厚さ方向に縦長で、スキン層の反対の面側で拡径された複数の気泡（涙型気泡）と、当該気泡の大きさより小さい大きさの多数の微細孔とが連続状に形成された構造を有している。このような構造を有することで、研磨加工中にクッション性が発揮されて被研磨物を略平坦に保持することができる。保持パッドはポリウレタン樹脂シートと、このポリウレタン樹脂シートにおける保持面の反対側に接着されて該ポリウレタン樹脂シートを研磨機の定盤に貼り付ける両面テープとを有して構成される。両面テープが備えるテープ基材の存在によって軟質なポリウレタン樹脂シートに腰の強さを付加し、取扱い性の向上を図っている。
【０００４】
このような保持パッドは、ある程度までの大きさであれば平積み状態で梱包することができるが、長さと巾がともに２．５ｍ以上のような大型の保持パッドでは、平板での運搬に、例えば道路法、道路交通法、道路運送車両法等で２．５ｍ以上の場合は事前の許可申請が必要で、かなりの制限があり、またコンテナにおいては、スペースが問題となり平積み状態で保管や運搬することができない。それ故、大型の保持パッドは、梱包、開包時の作業性の向上、梱包サイズの縮小を目的として、保管時や運搬時に巻物とされる。このとき、巻き皺や、巻き跡によりポリウレタン樹脂シートの表面の平坦性が悪化しないように強く巻き付けた状態とせず、１回又は数回だけ緩く巻いた状態とされるとともに、保持面に傷が入らないように該保持面が内側になるようにして巻き回される（特許文献１）。
【０００５】
また、大型ガラス基板用の大型保持パッドでは、定盤に貼り付けるための両面テープも大型保持パッドに対応して大型なものが必要となるが、汎用品としての入手に困難がある。そこで従来、大型保持パッド用の両面テープとして、大型ポリウレタン樹脂シートの保持面と反対側の面に汎用両面テープを複数枚並列に貼り合わせるものが開示されている（特許文献２）。
【先行技術文献】
【特許文献】
【０００６】
【特許文献１】特開2011-213363号公報
【特許文献２】特許第5501561号公報
【発明の概要】
【発明が解決しようとする課題】
【０００７】
特許文献２に記載の保持パッドを巻物として保管又は運搬するときには、巻回体の巻き数を多くすることができないため、巻き径が大きく、例えばＧ１０サイズ用の保持パッドを1回巻きとした場合は直径約１０２０mm、２回巻きとした場合は直径約５１０mmで幅が３０００mmとなるため非常に嵩張り、輸送や保管にかかる物流費が価格に影響していた。石油等の輸送に必要なエネルギーの供給事情の変動によって、物流のためのエネルギー費は高騰することがあり、物流コスト削減は重要な課題である。特に広幅の保持パッド巻回体の場合、わずか数cm程度直径を小さくするだけで物流費削減の効果が十分に期待される。しかしながら、大型保持パッドの巻き数を増やすことで直径を小さくしようとすると、ポリウレタン樹脂シートの保持面が内側になるように丸められるため、柔軟なシートに対し剛性の高いテープ基材が、巻き始め端でポリウレタン樹脂シートの保持面に接触し、その保持面を傷付けてしまったり、テープ基材のハリ・コシの強さにより、ポリウレタン樹脂シートを圧迫して、巻位置により圧迫変形が異なりポリウレタンシートの保持面の平坦性が悪化する。また、輸送時の巻回体の揺れや定盤貼付け時に生じるテンションにより、両面テープが途切れる部分のポリウレタン樹脂シートが伸び易く、保持パッドに皺が付き易いという問題があった。更に、ガラス基板の薄型化により、引用文献１のような梱包において緩めに巻いても、巻き始の端部が保持面に僅かに接触することで、軽度のへこみが発生し、高品位な基板の製造に問題となってきている。
【０００８】
尚、従来の上述した保持パッドにおいて、両面テープの剛性の高いテープ基材を省き、ポリウレタン樹脂シートを定盤に貼り付け可能にするため、ポリウレタン樹脂シートの保持面の反対側にノンサポート型粘着テープだけを接着することが考えられる。ところが、このような保持パッドでは、該保持パッドを定盤上に貼り付けて研磨加工に供した使用後に、定盤から剥離しようとするとき、ポリウレタン樹脂シートに加える剥離操作力が軟質で柔らかいポリウレタン樹脂シートを介するが故にノンサポート型粘着テープの全域に安定的に伝わらず、樹脂シートが破断し易く、定盤に該ノンサポート型粘着テープの糊残しを生じ、剥離作業に労力や時間がかかりすぎるという不都合がある。
【０００９】
本発明の課題は、ポリウレタン樹脂シートを備えた保持パッドの巻回体をコンパクトにすることで、輸送・保管コストの削減を可能にすることにある。また、そのポリウレタン樹脂シートの品質を損なうことなく巻回可能にしながら保管や運搬段階での取り扱いを容易にし、定盤に容易に取り外し可能にすることにある。
【課題を解決するための手段】
【００１０】
請求項１に係る発明は、被研磨物を保持する保持面を備えたポリウレタン樹脂シートを有し、このポリウレタン樹脂シートの保持面の反対面側に複数枚のノンサポート型粘着テープが並んで接着され、各ノンサポート型粘着テープが、粘着層のみで構成されるとともに、該ノンサポート型粘着テープのポリウレタン樹脂シートが接着される面の反対面側に剥離フィルムが接着されて構成される保持パッド巻回体であって、巻回体として、梱包、運搬、及び保管されるようにしたものである。
【００１１】
請求項２に係る発明は、請求項１記載の保持パッド巻回体を使用して被研磨物を研磨加工する研磨加工方法であって、複数枚の両面テープが並んで貼り付けられた樹脂基材がそれらの両面テープにより定盤に貼り付けられた後、前記保持パッドが剥離フィルムを剥離された各ノンサポート型粘着テープの粘着層により上記樹脂基材の上に貼り付けられて研磨加工に供されるようにしたものである。
【００１２】
請求項３に係る発明は、請求項２に係る発明において更に、前記両面テープは基材を有する両面テープ、或いは、ノンサポート型粘着テープであるようにしたものである。
【００１３】
請求項４に係る発明は、請求項２又は３に係る発明において更に、前記保持パッドにおけるポリウレタン樹脂シートの保持面の上に、可撓性樹脂シートが粘着剤で貼り付けられ、該保持パッドが樹脂基材の上に貼り付けられるようにしたものである。
【発明の効果】
【００１４】
本発明によれば、保持パッドが両面テープを構成する高剛性のテープ基材を有しないため、巻回した際の巻き径を小さくすることができ、同時に重量増加が抑制されることで、輸送・保管コストの削減ができる。また、巻回体として保管や運搬される段階でポリウレタン樹脂シートの保持面にテープ基材由来の傷付きを回避することができる。
【００１５】
保持パッドは、定盤に接着された両面テープの上に貼り付けられた樹脂基材の上に容易に貼り付けられる。また、このようにして定盤の上に貼り付けられて研磨加工に供された保持パッドの使用後に、保持パッドは樹脂基材とともに定盤から剥離される。このとき、剥離操作力は高剛性の樹脂基材を介して両面テープの全域に安定的に伝わり、保持パッドは定盤に糊残しなく該定盤の上から容易に剥離できる。
【図面の簡単な説明】
【００１６】
【図１】図１は実施例１の保持パッドと、該保持パッドを定盤の上に貼り付けるための樹脂基材とを示す模式図である。図１（Ａ）は該保持パッドと樹脂基材を定盤に貼り付けるプロセスを示し、図１（Ｂ）は定盤上に保持パッドが貼り付けられた状態を示す。
【図２】図２は実施例２の保持パッドを示す模式図である。
【発明を実施するための形態】
【００１７】
１．保持パッドの特徴的構成及び作用
(1)大型ガラス基板等の大型被研磨物の研磨加工に際し、保持パッドを定盤の上に貼り付ける接着手段として、ポリウレタン樹脂シートの保持面の反対面側に並んで接着される複数枚のノンサポート型粘着テープを用いるものであり、入手困難な大型の両面テープを調達する必要がなく、簡易である。
【００１８】
また、樹脂基材を定盤の上に貼り付ける接着手段として、定盤に並んで接着される複数枚の両面テープ（基材を有する両面テープ又はノンサポート型粘着テープ）を用いるものであり、入手困難な大型の両面テープを調達する必要がなく、簡易である。
【００１９】
(2)保持パッドは、定盤の上に貼り付けられる前段階で、ポリウレタン樹脂シート及びノンサポート型粘着テープとともに、剥離紙や薄肉のプラスチックフィルム等からなる低剛性の剥離フィルムを有する。従って、保持パッドが一定の剛性を備え、巻物状とするときに巻姿がつぶれることなく巻回でき、保管や運搬時の取扱い性が良い。また、両面テープの基材がないため保持パッドの厚みを薄くでき、巻き径を小さくできる。例えば、巻き径が半分にできると同スペースで４倍の保持パッドの保管や運搬が可能となり、このことにより保管や運搬時のスペースを省スペース化及び低コスト化することができる。
【００２０】
(3)保持パッドが、ポリウレタン樹脂シートの保持面の反対面側に粘着層のみで構成されるノンサポート型粘着テープを接着されるとともに、該ノンサポート型粘着テープのポリウレタン樹脂シートが接着される面の反対面側に低剛性の剥離フィルムが接着されて構成される。従って、保持パッドは、両面テープを構成する高剛性のテープ基材を有さず、低剛性で柔らかい剥離フィルムを有するものであり、巻物となる保管や運搬段階でポリウレタン樹脂シートの保持面にテープ基材由来の傷付きを生ずるおそれがない。
【００２１】
(4)保持パッドは、定盤に両面テープを介して貼り付けられている樹脂基材の上に容易に貼り付けられる。また、このようにして定盤の上に貼り付けられて研磨加工に供された保持パッドの使用後に、保持パッドは樹脂基材とともに定盤から剥離される。このとき、剥離操作力は高剛性の樹脂基材を介して両面テープの全域に安定的に伝わり、保持パッドは定盤に糊残りなく該定盤の上から容易に剥離できる。また、保持パッドと樹脂基材を分離して輸送できるためそれぞれの巻き径を小さくすることができ、物流コストを大幅に削減することができる。
【００２２】
(5)保持パッドは、ポリウレタン樹脂シートの上に、可撓性樹脂シートが貼り付けられる。従って、保持パッドが定盤の上に両面テープを介して貼り付けられている樹脂基材の上に貼り付けられるとき、並列するノンサポート型粘着テープの継ぎ目に接しているポリウレタン樹脂シートの伸びを抑止し、ポリウレタン樹脂シートの保持面に皺が入るのを防止できる。
【００２３】
２．保持パッドの製造方法
本発明の保持パッドを製造する方法として、代表的な方法を以下に説明する。該方法は、少なくとも以下の構成：
準備工程
塗布工程
凝固再生工程
洗浄・乾燥工程
研削処理工程
第１ラミネート加工工程
を含んでいる。更に、第２ラミネート加工工程を含んでも良い。
【００２４】
（準備工程）
準備工程では、ポリウレタン樹脂、ポリウレタン樹脂を溶解可能な水混和性の有機溶媒のＮ，Ｎ−ジメチルホルムアミド（以下、ＤＭＦと略記する。）及び添加剤を混合する。水混和性の有機溶媒としては、水と任意の割合で混ざり合う有機溶媒であれば良く、ＤＭＦ以外に、例えばＮ，Ｎ−ジメチルアセトアミド等を用いても良い。ポリウレタン樹脂には、ポリエステル系、ポリエーテル系、ポリカーボネート系等の樹脂から数平均分子量が５，０００〜１００，０００の範囲のものを選択して用い、例えば、ポリウレタン樹脂が３０重量％となるようにＤＭＦに溶解させる。ポリウレタン樹脂の分子量を制限することにより、凝固再生工程において、ポリウレタン樹脂の分子移動を円滑にすることができる。添加剤としては、発泡の平均厚さ方向の長さや単位体積あたりの個数を制御するため、カーボンブラック等の顔料、発泡の形成を促進させる親水性添加剤及びポリウレタン樹脂の凝固再生を安定化させる疎水性添加剤等を用いることができる。得られた溶液を減圧下で脱泡してポリウレタン樹脂溶液を得る。
【００２５】
（塗布工程）
塗布工程では、準備工程で得られたポリウレタン樹脂溶液を常温下でナイフコータ等により帯状の成膜基材に略均一となるように、連続的に塗布する。このとき、ナイフコータ等と成膜基材との間隙（クリアランス）を調整することで、ポリウレタン樹脂溶液の塗布厚さ（塗布量）が調整される。成膜基材にはＰＥＴ樹脂等の樹脂製の不織布やフィルムを用いることができるが、本例では、成膜基材としてＰＥＴ製フィルムが用いられる。
【００２６】
（凝固再生工程）
凝固再生工程では、成膜基材に塗布されたポリウレタン樹脂溶液が、ポリウレタン樹脂に対して貧溶媒である水を主成分とする凝固液（水系凝固液）に案内される。本例では、凝固液として、水を用い、温度が10〜50℃の範囲に設定されている。凝固液中では、まず、ポリウレタン樹脂溶液の表面側に緻密なスキン層が形成される。その後、スキン層を通じてポリウレタン樹脂溶液中のＤＭＦと凝固液との置換の進行によりポリウレタン樹脂が成膜基材上にシート状に凝固再生されて発泡が形成された樹脂シートが形成される。ポリウレタン樹脂溶液からＤＭＦが脱溶媒し、ＤＭＦと水とが置換することで、発泡及び微細孔が網目状に連通する。
【００２７】
（洗浄・乾燥工程）
洗浄・乾燥工程では、凝固再生工程で凝固再生したシート状のポリウレタン樹脂（以下、成膜樹脂という。）を成膜基材から剥離し、水等の洗浄液中で洗浄してポリウレタン樹脂中に残留するＤＭＦを除去する。洗浄後、成膜樹脂をシリンダ乾燥機で乾燥させる。シリンダ乾燥機は内部に熱源を有するシリンダを備えている。成膜樹脂がシリンダの周面に沿って通過することで乾燥する。乾燥後の成膜樹脂は、ロール状に巻き取られる。
【００２８】
（研削処理工程）
研削処理工程では、成膜樹脂の表面に形成されたスキン層と反対の面側にバフ処理等の研削処理を施す。即ち、圧接治具の略平坦な表面を成膜樹脂のスキン層の表面に圧接し、スキン層と反対の面側に研削処理を施す。研削処理には、バフ機やスライス機等を用いることができる。これにより、成膜樹脂の厚みが均一化され、ポリウレタン樹脂シートが得られる。
【００２９】
（第１ラミネート加工工程）
第１ラミネート加工工程は、研削処理工程で得られたポリウレタン樹脂シートの保持面の反対面側に複数枚のノンサポート型粘着テープをラミネート機により並ばせて貼り合わせる。ノンサポート型粘着テープのポリウレタン樹脂シートが接着される面の反対面側は剥離フィルムで覆われている。ノンサポート型粘着テープには、いずれも、同質のアクリル系粘着剤が用いられている。また、ノンサポート型粘着テープは、厚さが同じに形成されており、同一面を形成している。
【００３０】
（第２ラミネート加工工程）
第２ラミネート加工工程は、必要により採用され、第１ラミネート加工工程を経て得られた（又は第１ラミネート加工工程の前段階でも可）ポリウレタン樹脂シートの保持面の上に粘着剤を有する可撓性樹脂シートを、粘着剤を介してラミネート機により貼り合わせる。粘着剤の粘着力は、０．０５〜１．０N／２５mmであることが好ましく、０．１〜０．５N／２５mmであることがより好ましい。粘着力は、ＪＩＳ Ｚ ０２３７に基づき測定された値である。可撓性樹脂シートは研磨加工前まで貼り付けられ、粘着剤が上記範囲にあると保持面に粘着剤を残すことなく、粘着剤を可撓性樹脂シートとともに剥離することができる。可撓性樹脂シートはポリオレフィンシート（ポリエチレンシート、ポリプロピレンシート等）、ポリ塩化ビニルシート、ポリエステルシートから選択されるシートである。これらの中でも、ポリオレフィンシートであることが更により好ましく、ポリエチレンシートであることが特に好ましい。粘着剤を有する可撓性樹脂シートは、ノンサポート型粘着テープの継ぎ目に接する部分のポリウレタン樹脂シートを覆うように、１枚、乃至、複数枚並列して貼り付けられる。つまり、ノンサポート型粘着テープの継ぎ目位置と粘着性を有する可撓性樹脂シートの継ぎ目位置は厚み方向から見たときに重複しない位置に配される。
【００３１】
尚、このようにして製造されたポリウレタン樹脂シートの表面には緻密な微多孔が形成された厚さ数μm程度の表面層（スキン層）が形成される。スキン層とは、湿式成膜時に緻密な微多孔が形成された表皮層であり、湿式成膜に伴う溶剤抽出の痕跡として半透膜が形成されている。このスキン層に形成された半透膜に水等を含ませることで、水等の表面張力が作用するため、被研磨物を密着させ被研磨物の保持が可能となる。即ち、スキン層の表面が被研磨物を保持するための保持面となる。
【００３２】
３．具体的実施結果
3-1．実施例１、２（図１参照）
(1)実施例１、２の保持パッド１０を以下の手順で用意した。
i．湿式成膜法により得た厚さ１．０mmのポリウレタン樹脂シート１１の保持面１１Ａに対する反対面側を全体厚みが０．８mmとなるようバフ処理した。
【００３３】
ii．剥離フィルム１３が一面に接着された厚さ５５μm、幅１５００mm、長さ３５００mmのノンサポート型粘着テープ１２を２枚用い、２枚のノンサポート型粘着テープを隙間が生じないように（又は僅かな隙間を介して）、上述iのポリウレタン樹脂シートのバフ処理面に並べて貼り合わせ、幅３０００mm×長さ３５００mmの矩形の保持パッド１０を製造した。
【００３４】
iii．上述iiで製造した保持パッド１０を５回巻いた巻物とし、１日静置した。（実施例１）
上述iiで製造した保持パッド１０を１０回巻いた巻物とし、１日静置した。（実施例２）
【００３５】
(2)厚み１８８μm、幅３０００mm、長さ３５００mmのＰＥＴフィルムからなる樹脂基材２０の片面に、幅１５００mm、長さ３５００mmの２枚の両面テープ２１が隙間を生じないように（又は僅かな隙間を介して）並べて接着する。樹脂基材２０の片面に接着された両面テープ２１の剥離シートを剥離し、この樹脂基材２０を定盤１の上に貼り付けた。
【００３６】
(3)上述(1)で製造した保持パッド１０の巻回を解きながら、保持パッド１０の剥離フィルム１３を剥離し、保持パッド１０をノンサポート型粘着テープ１２の粘着層を介して上述(2)で定盤１の上に貼り付けられた樹脂基材２０の上に貼り付けた。
【００３７】
3-2．実施例３（図２参照）
実施例１の(1)で製造された保持パッド１０の保持面１１Ａの上に、ポリエチレンフィルムの片面に粘着剤を備えた幅１０００mm、長さ３５００mmの３枚の可撓性樹脂シート１４をその粘着剤を介して隙間が生じないように貼り付けた。粘着剤の粘着力は０．３N／２５mmであり、ポリエチレンフィルムと粘着剤の合計厚みは６０μmであった。
【００３８】
可撓性樹脂シート１４が貼り付けられた上述の保持パッド１０を、実施例１の(3)と同様にして、定盤1の上に貼り付けられている樹脂基材２０の上に貼り付けた。
【００３９】
3-3．比較例１
実施例１のポリウレタン樹脂シートのバフ処理面に、厚み１８８μmのＰＥＴフィルムからなるテープ基材を有する幅１５００mm、長さ３５００mmの両面テープを２枚並列に貼り付けたものを保持パッドとし、この保持パッドを５回巻いた巻物とし１日静置した。
【００４０】
上述の保持パッドの巻回を解きながら、両面テープの剥離シートを剥離し、両面テープを介して定盤の上に貼り付けた。
【００４１】
3-4．結果
（比較例１）
定盤に貼り付けられた保持パッドの保持面に両面テープ基材由来の皺、線状の傷を生じた。皺は両面テープの継ぎ目部分と接する保持面部分に発生しており、継ぎ目部分と接するポリウレタン樹脂が定盤貼付時に伸びたことに由来してできたものと考えられる。線状の傷は巻回体としていたときに巻き始め部分が接触していた保持面部分に発生しており、巻回体として保管していた間に両面テープの基材が接触したためにできたものと考えられる。
【００４２】
（実施例１、２）
実施例１、２の保持パッド１０は、保持パッド１０に高剛性のテープ基材を含まないことから、ポリウレタン樹脂シートの保持面にテープ基材由来の皺、線状の傷が見られなかった。特に、実施例２では比較例１の２倍の巻き数であるにもかかわらず保持面に皺や傷を生じることがなく、保持パッド巻回体の省スペース化が可能であることが示された。また、定盤１に貼り付けた後の保持パッド１０は、高剛性の樹脂基材２０をよりどころとして該樹脂基材２０等とともに定盤１から容易に剥離でき、定盤１に糊残しなく該保持パッド１０を取外しできた。
【００４３】
実施例３の保持パッド１は、定盤１の上に貼り付けられている樹脂基材２０の上に貼り付けられる際に、剥離フィルム１３の剛性に加えて可撓性樹脂シート１４の剛性があるため、相隣るノンサポート型粘着テープ１２の継ぎ目に接しているポリウレタン樹脂シート１１の伸びを抑止し、定盤１の上に容易かつ安定的に皺を生ずることなく貼り付けることができた。
【産業上の利用可能性】
【００４４】
本発明によれば、ポリウレタン樹脂シートを備えた大型の保持パッドを省スペースに保管・運搬することができ保管や運搬段階でそのポリウレタン樹脂シートの品質を損なうことなく巻回可能にしながら、定盤に容易に着脱可能にすることができる。
【符号の説明】
【００４５】
１  定盤
１０  保持パッド
１１  ポリウレタン樹脂シート
１２  ノンサポート型粘着テープ
１３  剥離フィルム
１４  可撓性樹脂シート
２０  樹脂基材
２１  両面テープ
【図１】
2019038090.tif 000003
【図２】
2019038090.tif 000004